(57)【要約】【課題】ディスクの回転に伴う振動を効率的に抑制できるディスク装置を提供する。【解決手段】ディスク１を回転する回転駆動機構１１と、ディスク１から情報を再生及び／又は前記ディスクに情報を記録するために用いる光学装置１２と、光学装置１２を移動させる移動機構１３とを少なくとも含み、これらをシャーシ２０で支持しかつシャーシ２０を筐体１６に固定しているディスク装置２０であって、ディスク１は、水平面Ｘ１に対して傾斜してクランプされている。また、固定部２６−１〜２６−４のうちの一方の固定部２６−１、２６−４は、ディスク面を含む平面が形成する第１の領域Ｓ１に位置するように配置され、他方の固定部２６−２、２６−３は、第１の領域Ｓ１に対してディスク面を含む平面Ｙ１を挟んだ第２の領域Ｓ２に位置するように配置されている。【選択図】        図５
2004342238.tif 000002
【特許請求の範囲】
【請求項１】
ディスクを回転する回転駆動機構と、前記ディスクから情報を再生及び／又は前記ディスクに情報を記録するために用いる光学装置と、前記光学装置を移動させる移動機構とを少なくとも含み、これらをシャーシで支持しかつ該シャーシを少なくとも二つの固定部を介して筐体に固定されているディスク装置であって、
前記ディスクは、水平面に対して所定の角度傾斜してクランプされ、
前記二つの固定部のうちの一方の固定部は、ディスク面を含む平面が形成する第１の領域に位置するように配置され、前記他方の固定部は、前記第１の領域に対して前記ディスク面を含む平面を挟んで形成される第２の領域に位置するように配置されていることを特徴とするディスク装置。
【請求項２】
前記ディスク装置は更に、前記ディスクを載置するトレイを有し、
前記トレイは、クランプ時、水平面に対して所定の角度傾斜してクランプされ、
前記二つの固定部のうちの一方の固定部は、ディスク搭載面を含む平面が形成する第１の領域に位置するように配置され、前記他方の固定部は、前記第１の領域に対して前記ディスク搭載面を含む平面を挟んで形成される第２の領域に位置するように配置されていることを特徴とする請求項１記載のディスク装置。
【発明の詳細な説明】
【０００１】
【発明の属する技術分野】
本発明は円板状の記録媒体（以下、単にディスクと称する）を回転させながらここに書き込まれている情報を再生し、或いは任意の情報を書き込んで記録する為のディスク装置に関する。特に、ディスクが回転した時の振動を効率的に抑制できるディスク装置に関する。
【０００２】
【従来の技術】
ディスクから情報を再生し、ディスクに対して記録を行うディスク装置としては、ＣＤ−ＲＯＭ、ＣＤ−Ｒ、ＣＤ−ＲＷ、ＤＶＤ等の装置がよく知られている。これらディスク装置は、例えば筐体（アンダーケースとも称される）、この筐体内でターンテーブルを含む回転駆動機構や光ピックアップ装置等を支持するシャーシ、このシャーシ上部を覆うトレイ及びトップケース等を備えている。
【０００３】
図１は、このような従来のディスク装置について示した図である。（Ａ）はトップケース及びトレイを除いてディスク装置の筐体内を示した図である。また、（Ｂ）は同装置の側部構成を示した図である。なお、（Ｂ）ではシャーシ上部を覆うトレイも示している。
【０００４】
図１（Ａ）で、ディスク装置１００は、ディスクを保持しながら所定方向に回転させるターンテーブル１１１を含んだ回転駆動機構１１０を備えている。また、ディスク装置１００は、ディスク１から情報を再生し、或いは、情報を記録する為の光学装置として、レンズ１２１を含んだ光ピックアップ装置１２０を備えている。
【０００５】
この光ピックアップ装置１２０はモータ１３１を駆動源とする移動機構１３０によりディスク１の所定位置に移動される。図１（Ａ）では、移動機構１３０により移動された状態の光ピックアップ装置１２０を両端位置で例示している。すなわち、この光ピックアップ装置１２０は範囲Ｗの間を移動し、ディスク１から情報を再生し、又は情報を記録するようになっている。
【０００６】
そして、上記のディスク１を回転させる回転駆動機構１１０、光ピックアップ装置１２０及びこれを移動する移動機構１３０は所定の剛性を備えたシャーシ１０５により支持されている。このシャーシ１０５には筐体１１６に固定するための固定部１０６−１〜１０６−４が形成されている。この固定部１０６−１〜１０６−４は、防振用のダンパ１１５−１〜１１５−４を介して筐体１１６に固定されている。
【０００７】
また、図１（Ｂ）で示すようにシャーシ１０５上にはトレイ１１７が載置される。このトレイ１１７は光ピックアップ装置１２０が移動する領域を除いて、上面をカバーするように配置される。よって、上記固定部１０６−１〜１０６−４はトレイ１１７の下部に隠れた状態となる。
【０００８】
上記従来のディスク装置１００において、ディスク１に偏重心や歪が有ると、回転の不釣合いからシャーシ１０５を励振してしまう。特にディスク面に対して垂直な方向でのシャーシ振動、すなわち上下動、及び光ピックアップの移動方向でのシャーシの振動、すなわち前後動が大きくなると、再生、記録のエラーが発生し易くなってしまう。
【０００９】
従来、上記シャーシ１０５上に錘を載置して、その重量を増加させることでシャーシ１０５の振動を抑制するようにしている。図２（Ａ）は、従来においてシャーシ１０５に載置されていた錘を例示した全体斜視図である。図２（Ａ）に示すように、錘１４０は大略、環状でありシャーシ１０５の外周部分に乗る大きさに形成されている。
【００１０】
錘１４０の材質はシャーシ１０５と同様の部材でよく、例えば鋼材である。錘１４０はシャーシ１０５の形状に沿う様に折り曲げ加工され、またシャーシ１０５はネジ止めできるようにネジ穴１４１−１〜１４１−４を備えている。
【００１１】
図２（Ｂ）は、ディスク装置１００に錘１４０をセットする様子を側面から示した図である。錘１４０は、回転駆動機構１１０等を支持しているシャーシ１０５の全外周に乗るような大きさに形成されており、シャーシ１０５にネジ止め固定される。このようにシャーシ１０５の全外周に錘１４０を配設するようにしているのは、シャーシ１０５の重量を増すことで防振効果を得ようとする為である。
【００１２】
また、特許文献１にはシャーシの防振手段により支持される支持点（図１における固定部１０６）をディスクの回転水平面内に位置させることが開示されている。
【００１３】
【特許文献１】
特開平１０−１９９２２６号公報
【発明が解決しようとする課題】
しかしながら、近年の装置コンパクト化への要請は厳しく、より小型化できるように各部配置を決定する必要がある。そのために、図１にも示されるようにディスク１を回転させる回転駆動機構１１０は、一般にシャーシ１０５の端部側に設定される場合が多い。
【００１４】
上記のようにシャーシ１０５の重量を増加させることにより、一定の防振効果を期待できる。しかし、ディスク１の回転により、ひとたび振動が生じてしまうと、シャーシ１０５の重量を増していることが逆効果として作用する。すなわち、振動を開始したときのエネルギーは錘１４０が無い場合よりも大きいため、ディスク装置から外部へ伝わるような振動、騒音となってしまう。
【００１５】
特に、回転駆動機構１１０、光ピックアップ装置１２０等を支持した状態でのディスク１の重心位置と、ディスク１を回転させるターンテーブル１１１の回転中心位置とが、ずれることを許容せざるを得ない設計となっている。また、最近のディスク装置はディスク１をより高速で回転させて、情報の再生、記録を迅速に行うようにしている。
【００１６】
このような状況で、シャーシ全体の重量が増す様に錘を乗せるといった単純な工夫では、ディスク１の回転による振動を確実に防止することが困難となるという問題がある。
【００１７】
また、上記のように、シャーシ１０５により重い錘を乗せて重量を増加させることも考えられるが、このようにすると輸送時に発生するような落下振動に対して脆弱になってしまうので、好ましくない。また、輸送コスト、環境負荷も増加してしまう。
【００１８】
また、特許文献１で開示する技術では、ディスク装置をコンパクト化する点に配慮していない。
【００１９】
そこで、本発明は上記従来技術の問題点を解決し、小型化の要請にも対応しつつ、ディスクの回転に伴う振動を効率的に抑制できるディスク装置を提供することを目的とする。
【００２０】
【課題を解決するための手段】
上記課題を解決するために、請求項１記載のディスク装置は、ディスクを回転する回転駆動機構と、前記ディスクから情報を再生及び／又は前記ディスクに情報を記録するために用いる光学装置と、前記光学装置を移動させる移動機構とを少なくとも含み、これらをシャーシで支持しかつ該シャーシを少なくとも二つの固定部を介して筐体に固定されているディスク装置であって、前記ディスクは、水平面に対して所定の角度傾斜してクランプされ、前記二つの固定部のうちの一方の固定部は、ディスク面を含む平面が形成する第１の領域に位置するように配置され、前記他方の固定部は、前記第１の領域に対して前記ディスク面を含む平面を挟んで形成される第２の領域に位置するように配置されていることを特徴とする。
【００２１】
請求項１記載の発明によれば、回転するディスクに発生する回転モーメントを打ち消すことができる。これにより、小型化の要請にも対応しつつ、ディスクの回転に伴う振動を効果的に抑制することができる。
【００２２】
また、請求項２記載のディスク装置は、請求項１記載のディスク装置において、更に、前記ディスクを載置するトレイを有し、前記トレイは、クランプ時、水平面に対して所定の角度傾斜してクランプされ、前記二つの固定部のうちの一方の固定部は、ディスク搭載面を含む平面が形成する第１の領域に位置するように配置され、前記他方の固定部は、前記第１の領域に対して前記ディスク搭載面を含む平面を挟んで形成される第２の領域に位置するように配置されていることを特徴とする。請求項２記載の発明によれば、ディスクに発生する回転モーメントを打ち消すことができる。これにより、小型化の要請にも対応しつつ、ディスクの回転に伴う振動を効果的に抑制することができる。
【００２３】
【発明の実施の形態】
以下、本発明を適用した実施の形態について、図面を参照しながら説明する。図３から図５は、本実施形態に係るディスク装置について説明するための図である。図３は、トレイが突出した状態のディスク装置１０の外観斜視図、図４はディスク装置１０の平面図であって、トップケース及びトレイを除いてディスク装置の筐体内を示した図、図５は図４におけるＳＩ方向から見た内部構成を示した図であって、トレイを含んで示している。
【００２４】
図３に示すように、ディスク装置１０は、トレイ１７と、トップケース１８を含んでいる。図４に示すように、ディスク装置１０は、ディスクを保持しながら所定方向に回転させるターンテーブル１１Ａを含んだ回転駆動機構１１を備えている。また、ディスク装置１０は、ディスク１から情報を再生し、或いは、情報を記録する為の光学装置として、レンズ１２Ａを含んだ光ピックアップ装置１２を備えている。この光ピックアップ装置１２は、モータ１４を駆動源とする移動機構１３によりディスク１の所定位置に移動される。
【００２５】
図４では、移動機構１３により移動された状態の光ピックアップ装置１２を両端位置で例示している。すなわち、この光ピックアップ装置１２は、範囲Ｗの間を移動し、ディスク１から情報を再生し、又は情報を記録するようになっている。
【００２６】
そして、上記のディスク１を回転させる回転駆動機構１１、光ピックアップ装置１２及びこれを移動する移動機構１３は所定の剛性を備えたシャーシ２０により支持されている。シャーシ２０は、筐体１６内に収納され、この筐体１６の所定位置で固定されている。
【００２７】
図５に示すように、このシャーシ２０の上を覆うようにトレイ１７が配置されている。このシャーシ２０には、筐体１６に固定するための固定部２６−１〜２６−４が形成されている。この固定部２６−１〜２６−４は防振用のダンパ１５−１〜１５−４を介して筐体１６に固定されている。
【００２８】
また、図３に示すように、トレイ１７は、光ピックアップ装置１２が移動する領域を除いて、上面をカバーするように配置されている。これ以後、図４で示したディスク装置１０の下側を前部ＦＲＴ、上側を後部ＲＥＲと称して説明する。
【００２９】
ところで、ディスク１は大量にプレス製作され、製作精度はそれ程高くすることができず、厚さのばらつきや、クランプ内径とディスク外径の同心度のばらつきが大きい。また、ディスク１上に印刷する文字や模様、あるいはユーザがディスク判別用に貼るラベル等により発生する重量のアンバランスも無視できない。すなわち、ディスク１は、重量アンバランスを有している。
【００３０】
このようなディスク１を高速で回転させると、ディスク１を支持している回転駆動機構１１には回転に伴い著しく増加したアンバランス荷重が加わる。回転駆動機構１１を介しシャーシ２０には、アンバランス荷重によるディスク１の回転の振動が伝播され、その振動により装置自体の振動、あるいは各部品間の接触干渉等による騒音となる。
【００３１】
また、アンバランスの有るディスク１を回転させると、ディスク面内において周方向に遠心力が働く。この遠心力は、回転駆動機構１１のシャフトに対して垂直方向に働くため、シャーシ２０を含むメカユニットには回転モーメントが生じる。
【００３２】
このため、図５に示すように、本実施の形態に係るディスク装置１０では、ディスク１を、水平面Ｘ１に対して所定の角度θだけ傾斜させてクランプするようにしている。また、固定部２６―１〜２６−４のうちの一方の固定部２６−１、２６−４は、ディスク面を含む平面Ｙ１が形成する第１の領域Ｓ１に位置するように配置され、他方の固定部２６−２、２６−３は、第１の領域Ｓ１に対してディスク面を含む平面Ｙ１を挟んで形成される第２の領域Ｓ２に位置するように配置されている。
【００３３】
より詳細には、シャーシ２０は、端部からその一部を上方に延在させた腕部２５−１〜２５−４の先端をほぼ直角に形成した平板状の固定部２６−１〜２６−４が形成されている。また、シャーシ２０は、端部において前部ＦＲＴ側に向けてθだけ傾斜するように折り曲げられている。これにより、ディスク１を水平面Ｘ１に対して角度θだけ傾斜させてクランプすることができる。この構成により、シャーシ２０の前部ＦＲＴ側の固定部２６−２、２６−３はディスク面含む平面Ｙ１より下の第２の領域Ｓ２に位置するように配置される。
【００３４】
一方、シャーシ２０の後部ＲＦＴ側の固定部２６−１、２６−４は、ディスク面を含む平面Ｙ１より上の第１の領域Ｓ１に位置するように配置される。また、上記ディスク１のクランプを実現するために、トレイ１７は、クランプ時、水平面Ｘ１に対して所定の角度θだけ傾斜させてクランプされ、固定部２６−１〜２６−４のうちの一方の固定部２６−１、２６−４は、ディスク搭載面を含む平面Ｙ１が形成する第１の領域Ｓ１に位置するように配置され、他方の固定部２６−２、２６−３は、第１の領域Ｓ１に対してディスク搭載面を含む平面Ｙ１を挟んで形成される第２の領域Ｓ２に位置するように配置されている。
【００３５】
コンパクト化の要請に応える共に、ディスクの回転に伴う振動防止を抑制するという検討結果として、本ディスク装置１０では、ディスク面を後方に傾けてクランプするようにしている。ディスクの回転に伴うシャーシの振動を抑制するという観点からは、固定部をディスク面と一致させた構造を採用することが好ましい。しかし、ディスク装置全体をコンパクト化するため、現実には固定部をディスク下部に配置した構造を採用しなければならない場合が多い。このような点にも配慮して特定されたのが、本実施の形態のように、ディスク面を傾けた構造である。
【００３６】
コンパクト化に対応させるため、まずＦＲＴ側の固定部２６−２、２６−３をディスク面Ｙ１の下部に位置するように、ディスクを傾けて配置させている。その一方で、後部ＲＥＲ側の固定部２６−１、２６−４はディスク面Ｙ１の上部に位置するように、ディスク１を傾斜させて配置している。
【００３７】
このように、ディスク１を後方に傾けてクランプする構成とすることにより、シャーシ２０の前後の固定部２６−１〜２６−４に対して、ディスク１が上下それぞれの位置で支持されることになるので、発生する回転モーメントを打ち消すことができる。また、ディスク平行に対してシャーシ２０が短くなるので、Ｒ方向の偏重心量も減少する。
【００３８】
図６は固定部１０６の全てをディスク１の下に配置した従来のディスク装置１００を説明するための図である。図７は、本実施の形態に係るディスク装置１０の防振効果を説明するための模式図である。
【００３９】
図６に示す従来のディスク装置１００では、シャーシ１０５の面に対して鉛直方向Ｘ２に回転駆動機構１１０のシャーシの軸を向けている。したがって、ディスク１の回転に伴って偏心により遠心力ＢＦが発生した場合、図示するように、この遠心力ＢＦにより、回転モーメントＭ１、Ｍ２が発生し、固定部１０６がＶＡ方向に上下動するようにシャーシ１０５を振動してしまう。これにより、シャーシ１０５上部に支持されているディスク１もぶれてしまう。そのため再生、記録のエラーが発生し易いディスク装置となってしまう。
【００４０】
上記従来装置のシャーシに対し、図７に示した本実施の形態に係るディスク装置１０では、ディスク１を、水平面Ｘ１に対して角度θだけ傾斜させてクランプするようにしている。ディスク１の回転で遠心力ＢＦが発生した場合でも、シャーシ２０の後部ＲＥＲの固定部２６−１、２６−４は、ディスク面を含む平面Ｙ１より上の第１の領域Ｓ１に位置するように配置されている。一方、シャーシ２０の前部ＦＲＴ側の固定部２６−２、２６−３はディスク面を含む平面Ｙ１より下の第２の領域Ｓ２に位置するように配置されている。
【００４１】
これにより、シャーシ２０の前部ＦＲＴ側と、後部ＲＥＲ側の固定部に発生する回転モーメントＭ２、Ｍ３が相殺される。本ディスク装置２０では、ディスクを傾けて配置するという簡単な構造で確実な振動防止効果を得ている。
【００４２】
また、図７に点線で示した１０５は、従来のシャーシを示している。図７に示すように、シャーシ２０は、端部からのその一部を上方に延在させた腕部の先端をほぼ直角に形成した平板状の固定部２６−１（２６−４）が形成され、シャーシ２０の胴体部を前部ＦＲＴ側に向けてθだけ傾斜するように折り曲げるようにしたので、従来のシャーシ１０５よりも距離Ｓだけ、シャーシ２０を短くすることができる。
【００４３】
なお、本実施例装置では、上記固定部２６−１〜２６−４のそれぞれは、従来と同様にダンパ１５−１〜１５−４を介して筐体１６に固定することで防振効果を高めている。各ダンパ１５は、側面を示した図５で確認できるように、板状の固定部２６を間に挟むようにして上下に配置される。
【００４４】
以上のように本実施例のディスク装置１０は、シャーシ２０の片側の固定部位置をディスク面より高い位置になるように、ディスクを傾けてクランプするようにしたので、効率よくディスクの回転に基づく振動を抑制できる。
【００４５】
なお、上記実施例では固定部２６を前後１対ずつとしたが、いずれか一方を１個、その逆に３個以上としてもよい。固定部２６の配置は設計に応じて、適宜変更すればよい。
【００４６】
上記本実施の形態によれば、ディスク１を、水平面Ｘ１に対して傾斜させてクランプするようにして、シャーシ２０の前後の支持部２６に対して、ディスク１が上下それぞれの位置で支持されるようにしたため、発生する回転モーメントを打ち消すことができる。これにより、ディスクの回転に伴う振動を効率的に抑制できる。
【００４７】
また、ディスク平行に対してシャーシ２０が短くなるので、水平なＲ方向の偏重心量も減少する。また、ディスク１の傾斜に伴い、トップケース１８のフロント側がディスク表面に近付くので、ディスク１とトレイ１７、ディスク１とトップケース１８とのクリアランス差が減少し、ディスク１を表裏面の風圧バランスが良くなる。
【００４８】
また、メカユニットの重量を増すことなく、Ｚ・Ｒ方向の振動を抑えることができるので、輸送費の増加や、脆弱性の低下を防止することができる。Ｒ方向の防振は、Ｚ方向の防振にも繋がるので、Ｚ方向は相乗効果が見込める。更には、高速回転時のディスクの変形防止効果も見込める。なお、図４に示すように、Ｚ方向はディスク装置本体１０の上下方向、Ｒ方向は光ピックアップ装置が移動する方向、Ｊ方向はディスク装置１０の幅方向である。
【００４９】
以上、本発明の一実施の形態を説明した。本発明は上記実施の形態に限定されるものではなく、本発明の要旨の範囲内において種々の変形実施が可能である。
【００５０】
【発明の効果】
以上説明した本発明によれば、小型化の要請にも対応しつつ、ディスクの回転に伴う振動を効率的に抑制できるディスク装置を提供することができる。
【図面の簡単な説明】
【図１】従来のディスク装置について示した図である。
【図２】（Ａ）は従来においてシャーシに載置されていた錘を例示した全体斜視図である。（Ｂ）はディスク装置に錘をセットする様子を側面から示した図である。
【図３】トレイが突出した状態のディスク装置の外観斜視図である。
【図４】ディスク装置を上方から見た図であって、トップケース及びトレイを除いてディスク装置の筐体内を示した図である。
【図５】図４におけるＳＩ方向から見た内部構成を示した図である。
【図６】固定部の全てをディスク下に配置した従来のディスク装置について説明するための模式図である。
【図７】本実施の形態に係るディスク装置の防振効果を説明するための模式図である。
【符号の説明】
１        ディスク
１０        ディスク装置
１１        回転駆動機構
１２        光ピックアップ装置
１３        移動機構
１５        ダンパ
１６        筐体
１７        トレイ
１８        トップケース
２０        シャーシ
２６        固定部
【図１】
2004342238.tif 000003
【図２】
2004342238.tif 000004
【図３】
2004342238.tif 000005
【図４】
2004342238.tif 000006
【図５】
2004342238.tif 000007
【図６】
2004342238.tif 000008
【図７】
2004342238.tif 000009